【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
携帯可能記憶媒体との接続が可能な画像形成装置において、
一対の公開鍵と秘密鍵を生成する生成手段と、
携帯可能記憶媒体が接続されたことを検知する媒体検知手段と、
前記媒体検知手段により携帯可能記憶媒体が接続されたことが検知されたことに応じて前記携帯可能記憶媒体に前記生成手段が生成した公開鍵を保存する保存手段と、を備えることを特徴とする画像形成装置。
【請求項２】
更に、前記携帯可能記憶媒体に前記公開鍵が保存されているか否かを判定する判定手段を備え、
前記保存手段は、前記判定手段により前記携帯可能記憶媒体に前記公開鍵が保存されていないと判定された場合、前記携帯可能記憶媒体に前記公開鍵を保存することを特徴とする請求項１記載の画像形成装置。
【請求項３】
更に、前記公開鍵に関する情報を含む機器情報を生成する情報生成手段を備え、
前記保存手段は、前記情報生成手段により生成された機器情報を前記携帯可能記憶媒体に保存することを特徴とする請求項１記載の画像形成装置。
【請求項４】
更に、前記媒体検知手段により携帯可能記憶媒体が接続されたことが検知された場合、前記携帯可能記憶媒体に他の画像形成装置が生成した公開鍵が保存されているかを検知する鍵検知手段と、
前記鍵検知手段により前記携帯可能記憶媒体に他の画像形成装置が生成した公開鍵が保存されていることが検知された場合、前記他の画像形成装置が生成した前記公開鍵を前記携帯可能記憶媒体から取得する取得手段と、
前記取得手段により取得された前記公開鍵を記憶する記憶手段と、を備えることを特徴とする請求項１記載の画像形成装置。
【請求項５】
前記鍵検知手段は、前記携帯可能記憶媒体に他の画像形成装置が生成した公開鍵に関する情報を含む機器情報が保存されているかを検知し、
更に、前記鍵検知手段により前記携帯可能記憶媒体に前記機器情報が保存されていることが検知された場合、前記携帯可能記憶媒体に保存されている前記機器情報の解析を行う解析手段を備え、
前記記憶手段は、前記解析手段により解析した結果に基づき、前記機器情報に含まれる公開鍵を記憶することを特徴とする請求項４記載の画像形成装置。
【請求項６】
前記記憶手段は、前記他の画像形成装置が生成した公開鍵を、前記記憶手段に記憶された当該他の画像形成装置のアドレス情報に関連付けて記憶することを特徴とする請求項４記載の画像形成装置。
【請求項７】
更に、前記携帯可能記憶媒体へのデータの保存が要求された場合、前記記憶手段に登録された公開鍵を用いて前記データを暗号化する暗号化手段を備え、
前記保存手段は、前記暗号化手段が暗号化したデータを前記携帯可能記憶媒体へ保存することを特徴とする請求項５または６記載の画像形成装置。
【請求項８】
更に、前記媒体検知手段により前記携帯可能記憶媒体が接続されたことが検知され、前記携帯可能記憶媒体に対する文書の保存が要求された場合、前記携帯可能記憶媒体に前記公開鍵を含む情報が保存されているかを検知する情報検知手段を備え、
前記取得手段は、前記情報検知手段により前記携帯可能記憶媒体に前記公開鍵を含む情報が保存されていることが検知された場合、前記携帯可能記憶媒体から前記公開鍵を取得し、
前記保存手段は、前記取得手段により取得された前記公開鍵により前記文書を暗号化することで暗号化データを生成し前記携帯可能記憶媒体に保存することを特徴とする請求項５または６記載の画像形成装置。
【請求項９】
携帯可能記憶媒体との接続が可能な画像形成装置の制御方法において、
一対の公開鍵と秘密鍵を生成する生成ステップと、
携帯可能記憶媒体が接続されたことを検知する媒体検知ステップと、
前記媒体検知ステップにより携帯可能記憶媒体が接続されたことが検知されたことに応じて前記携帯可能記憶媒体に前記生成ステップで生成した公開鍵を保存する保存ステップと、を有することを特徴とする制御方法。
【請求項１０】
請求項９に記載の画像形成装置の制御方法をコンピュータに実行させるためのコンピュータで読み取り可能なプログラム。
【手続補正２】
【補正対象書類名】明細書
【補正対象項目名】００１２
【補正方法】変更
【補正の内容】
【００１２】
携帯可能記憶媒体に対するデータの保存とデータの印刷出力を行う複合機が接続可能で、管理が可能なサーバが存在しない場合、公開鍵の取得は非常に困難である。また、ユーザが携帯可能記憶媒体内にデータを保存するたびに適切な暗号鍵を検索し選択するのは、一般の複合機に装備されているような小さな画面の操作部では非常に煩雑な操作となる。
【手続補正３】
【補正対象書類名】明細書
【補正対象項目名】００１４
【補正方法】変更
【補正の内容】
【００１４】
上述の目的を達成するために、本発明は、携帯可能記憶媒体との接続が可能な画像形成装置において、一対の公開鍵と秘密鍵を生成する生成手段と、携帯可能記憶媒体が接続されたことを検知する媒体検知手段と、前記媒体検知手段により携帯可能記憶媒体が接続されたことが検知されたことに応じて前記携帯可能記憶媒体に前記生成手段が生成した公開鍵を保存する保存手段と、を備えることを特徴とする。
【手続補正４】
【補正対象書類名】明細書
【補正対象項目名】００１５
【補正方法】変更
【補正の内容】
【００１５】
本発明によれば、携帯可能記憶媒体が画像形成装置に接続されたことが検知されたことに応じて携帯可能記憶媒体に公開鍵を保存するため、文書を暗号化するための公開鍵の取得が困難な複合機からも、容易に公開鍵の取得を行うことが可能となる。
【手続補正５】
【補正対象書類名】明細書
【補正対象項目名】００１７
【補正方法】変更
【補正の内容】
【００１７】
〔第１の実施の形態〕
図１は、本発明の第１の実施の形態に係る画像形成装置としての複合機の構成例を示すブロック図である。
【手続補正６】
【補正対象書類名】明細書
【補正対象項目名】００１９
【補正方法】変更
【補正の内容】
【００１９】
ＣＰＵ１０１は、ＲＯＭ１０３またはＨＤＤ１０５に格納された制御プログラムに基づき、システムバス１０８に接続される各構成要素とのアクセスを統括的に制御すると共に、コントローラ１００内部で行われる各種処理についても統括的に制御する。また、ＣＰＵ１０１は、制御プログラムに基づき図２、図５、図９、図１２の各フローチャートに示す処理を実行する。ＣＰＵ１０１及び制御プログラムが、本発明の生成手段、媒体検知手段、保存手段、判定手段、情報生成手段、鍵検知手段、取得手段、記憶手段、解析手段、情報検知手段の機能を実現する。
【手続補正７】
【補正対象書類名】明細書
【補正対象項目名】００３２
【補正方法】変更
【補正の内容】
【００３２】
機器情報ファイル３００には、デバイス名３０１、製品名３０２、場所情報３０３、ネットワーク情報３０４、公開鍵情報３０７等の項目が設けられている。ネットワーク情報３０４には、ホスト名３０５、ＩＰアドレス３０６の他に、Ｆａｘ番号３１３や電子メールアドレス３１４等が含まれる。また、公開鍵情報３０７には、ＰｕｂｌｉｃＫｅｙＢｌｏｃｋ３１２の他に、バージョン３０８、ＩＤ３０９、Ｔｙｐｅ３１０、Ｌｅｎｇｔｈ３１１等の情報が含まれる。
【手続補正８】
【補正対象書類名】明細書
【補正対象項目名】００４４
【補正方法】変更
【補正の内容】
【００４４】
次に、ＣＰＵ１０１は、アドレス帳登録選択画面（不図示）を操作部１２６に表示する（ステップＳ５１２）。アドレス帳登録選択画面では、ステップＳ５１１で鍵リストに登録した公開鍵とアドレス帳情報を関連付けて登録するか否かを選択することが可能である。次に、ＣＰＵ１０１は、アドレス帳への登録が選択されたか否かを判断する（ステップＳ５１３）。
【手続補正９】
【補正対象書類名】明細書
【補正対象項目名】００４９
【補正方法】変更
【補正の内容】
【００４９】
図９において、まず、複合機のＣＰＵ１０１は、操作者による操作部１２６を介したＵＳＢメモリに対する文書の保存要求を受け付けると（ステップＳ９０１）、複合機の記憶媒体装着部にＵＳＢメモリが接続されているか否かを判定する（ステップＳ９０２）。
【手続補正１０】
【補正対象書類名】図面
【補正対象項目名】図１
【補正方法】変更
【補正の内容】
【図１】
2009278156.tif 000001
【手続補正１１】
【補正対象書類名】図面
【補正対象項目名】図６
【補正方法】変更
【補正の内容】
【図６】
2009278156.tif 000002